(57)【要約】【課題】本発明は、本来の空気調和機能を備えることの他に、換気機能を付加して快適性の向上を図り、かつそれによる本体外形寸法の拡大化や騒音の増大化などを抑制する空気調和機の室内機を提供する。【解決手段】室内機本体１内に、前部吸込み口４と対向する前側熱交換器部１０Ａおよび上部吸込み口６と対向する後側熱交換器部１０Ｂとを側面視で逆Ｖ字状にした熱交換器１０および室内送風機１３を収容し、熱交換器と前部・上部吸込み口との間にエアーフィルタ１１を取付け、熱交換器の一側端部で、かつ逆Ｖ字状の内側に配置され室内機本体内に開口する第１・第２の吸込み案内部Ｓａ，Ｓｂと、屋外に開口する吹出し口体３２および送風機構３０とから構成される換気ユニット１５を具備した。【選択図】　　　図３
2004069110.tif 000002
【特許請求の範囲】
【請求項１】
前部と上部に吸込み口を備え、前面下部に吹出し口を備えた室内機本体と、
この室内機本体内に収容され、上記前部吸込み口と対向して配置される前側熱交換器部および上部吸込み口と対向して配置される後側熱交換器部とを側面視で逆Ｖ字状にして組合わせた熱交換器と、
上記前部・上部吸込み口から室内空気を吸込んで上記熱交換器を通過させ、上記吹出し口から吹出す室内送風機と、
上記熱交換器と上記前部・上部吸込み口との間に取付けられ、室内空気中の塵埃を捕捉除去するエアーフィルタと、
上記熱交換器の一側端部で、かつ逆Ｖ字状の内側に配置され、室内機本体内に開口する吸込み案内部と、屋外に開口する吹出し案内部および上記吸込み案内部から空気を吸込んで上記吹出し案内部へ吹出す送風機構とから構成される換気ユニットとを具備したことを特徴とする空気調和機の室内機。
【請求項２】
上記室内送風機は、ファンモータと、このファンモータに一方の支軸が連結される横流ファンとから構成され、
上記換気ユニットの一側面に、上記横流ファンの他方の支軸を軸支する軸受け部を備えたことを特徴とする請求項１記載の空気調和機の室内機。
【請求項３】
上記換気ユニットの吸込み案内部は、上記エアーフィルタと上記熱交換器との間に対向して開口され、エアーフィルタを通過して塵埃が捕捉されたあとで熱交換器に導かれる以前の熱交換器１次側空気を吸込み案内することを特徴とする請求項１記載の空気調和機の室内機。
【請求項４】
上記室内機本体内の、上記エアーフィルタと熱交換器との間で、かつ上記換気ユニットとは反対側の側部に電気集塵機が配置されることを特徴とする請求項１記載の空気調和機の室内機。
【発明の詳細な説明】
【０００１】
【発明の属する技術分野】
本発明は、室内機と室外機とから構成される空気調和機に係り、特に、室内機における室内換気機能の付加に関する。
【０００２】
【従来の技術】
室内機と室外機とから構成される空気調和機が多用されている。室内機においては、本体に吸込み口および吹出し口を備え、本体内部には熱交換器および送風機などが収容される。上記熱交換器の前面にはエアーフィルタが取付けられ、熱交換器に導かれる以前で塵埃を捕捉するようになっている。
ところで、使用者にとって常時室内の空気調和を行なうことばかりでなく、状況によっては窓を開放することなく室内の換気を有効、かつ迅速に行いたい場合がある。
【０００３】
たとえば、居間において複数人が一斉に喫煙することにより煙が充満したり、不快な臭いが篭った状態などの不快感がある一方で、窓を開放すると外部の騒音や塵埃等が侵入してしまう等の条件が考えられる。
通常では、換気扇は台所などには備えられているが、居間専用の換気扇を備えることはあまりない。したがって上記の場合は、わずかでも窓を開放するか、窓を開放せずそのまま我慢することで対応しなければならず、いずれにしても快適性が損なわれている。
【０００４】
【発明が解決しようとする課題】
そこで、室内機本体を横に長く伸ばし、熱交換器に隣接した位置に換気ファンを備えた製品が提供されるに至った。室内機本体の前面と背面の換気ファン対向部位および取付け壁面部位に換気口が開口され、換気ファンの作動により室内空気を外部へ排出するようになっている。
このような室内機であれば、一応、換気機能を得ることになるが、上記換気ファンは熱交換器の横に並設した状態で室内機本体内に収容するので、室内機本体の外形寸法が大きくなって取付けスペースが拡大してしまう。
【０００５】
また、換気ファンの駆動時に運転騒音が本体前面の換気口から室内に漏れて静粛運転を妨げる。さらに、外部の騒音が壁面の換気口を介して室内機本体に侵入し、室内に漏れて静粛運転を妨げるなどの不具合がある。
本発明は上記事情に鑑みなされたものであり、その目的とするところは、本来の空気調和機能を備えることの他に、換気機能を付加して快適性の向上を図り、それにともなう本体外形寸法の拡大化や騒音の増大化などを抑制する空気調和機の室内機を提供しようとするものである。
【０００６】
【課題を解決するための手段】
上記目的を満足するため本発明は、前部・上部吸込み口を備え前面下部に吹出し口を備えた室内機本体内に、前部吸込み口と対向する前側熱交換器部および上部吸込み口と対向する後側熱交換器部とからなる逆Ｖ字状の熱交換器および、各吸込み口から室内空気を吸込んで熱交換器を通過させ吹出し口から吹出す室内送風機を収容し、熱交換器と各吸込み口との間に塵埃を捕捉除去するエアーフィルタを取付け、熱交換器の一側端部の内側に室内機本体内に開口する吸込み案内部と、屋外に開口する吹出し案内部および送風機構とから構成される換気ユニットを配置した。
【０００７】
さらに、上記室内送風機はファンモータと、このファンモータに一方の支軸が連結される横流ファンとから構成され、換気ユニットの一側面に横流ファンの他方の支軸を軸支する軸受け部を備えた。
さらに、上記換気ユニットの吸込み案内部は、エアーフィルタと熱交換器との間に対向して開口されエアーフィルタを通過して塵埃が捕捉されたあとで熱交換器に導かれる以前の空気を吸込み案内する。
さらに、上記室内機本体内のエアーフィルタと熱交換器との間で、かつ換気ユニットとは反対側の側部に電気集塵機が配置される。
【０００８】
このような課題を解決する手段を採用することにより、冷暖房等空調運転に連動した換気運転と、空調運転を停止したうえでの換気運転の双方の切換えが可能となり、より快適性の向上を図れる。
また、換気機能を備えたことによる室内機本体の外形寸法の拡大化を抑制できるとともに、室内への騒音の増大化を抑制できる。
【０００９】
さらに、室内送風機を構成する横流ファンの軸受け部品を換気ユニットが兼用でき、部品数と部品費の低減を得られる。
さらに、熱交換器に付着する塵埃の量を少なくでき、電気集塵機で発生したオゾンを室内機本体内に全体的に導いて、カビ等の発生を阻止できる。
【００１０】
【発明の実施の形態】
以下、本発明の一実施の形態を図面にもとづいて説明する。
図１は空気調和機を構成する室内機の外観の斜視図であり、図２は室内機の概略の縦断面図であり、図３は前面パネルを取外して室内機内部を見せた斜視図である。
【００１１】
室内機本体１は、前面パネル２と後板３とから構成されていて、上下方向に対して幅方向が極端に長い横長状をなす。前面パネル２は、湾曲して手前側に突出し、かつ左右両側に側面板１ａを備えている。後板３は、横長の矩形状をなし被空調室の壁面に取付けられる。
上記前面パネル２の前面側一部に前部吸込み口４が開口され、開閉駆動機構５に支持された可動パネル２ａが嵌め込まれている。運転停止時において、可動パネル２ａは前面パネル２と同一面となり前部吸込み口４を閉成するが、運転時には手前側に突出変位して前部吸込み口４を開放するよう制御される。
【００１２】
前面パネル２および後板３の上部に亘って上部吸込み口６が設けられる。上部吸込み口６には枠状の桟７が嵌め込まれていて、この桟によって複数の空間部に仕切られている。
上記可動パネル２ａ下部には、前面パネル２の一部を構成する半透明材からなる化粧板２ｂが室内機本体１の幅方向に亘って設けられる。この化粧板２ｂの下部側には、２枚の吹出しルーバー８ａ，８ｂが並行して設けられる。
【００１３】
各吹出しルーバー８ａ，８ｂは、室内機本体１の前面下部に沿って設けられる吹出し口９を開閉するとともに、運転条件に応じて姿勢角度を可変し熱交換空気の吹出し方向を設定できるようになっている。
室内機本体１内には、前側熱交換器部１０Ａと後側熱交換器部１０Ｂとで略逆Ｖ字状に形成される熱交換器１０が配置される。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。
【００１４】
一方、前部吸込み口４と上部吸込み口６とに対向する室内機本体１内にエアーフィルタ１１が取付けられる。このエアーフィルタ１１は各吸込み口４，６と前部熱交換器部１０Ａと上部熱交換器部１０Ｂとの間に介在され、開放した吹出し口９上端と前面パネル２下端の間から着脱自在に挿着される。
上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。
【００１５】
なお電気集塵機１２は、通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１３を停止もしくは極く低速運転することで、オゾンの発生量がより大となる。
上記熱交換器１０の前後側熱交換器部１０Ａ，１０Ｂの相互間で、かつ上記吹出し口９との間に室内送風機１３が配置される。すなわち、傘状に形成される熱交換器１０の内側に上記室内送風機１３が位置している。
【００１６】
図４（Ａ）に概略的に示すように、上記室内送風機１３は、ファンモータ１３Ｍと、このファンモータの回転軸に一方の支軸ａが機械的に連結される横流ファン１３Ｆとから構成される。
上記横流ファン１３Ｆの軸方向長さＬａは、上記熱交換器１０の幅方向寸法Ｌとほぼ同一であり、全体的に正面視で熱交換器１０の右側に位置をずらせて設けられる。
【００１７】
すなわち、上記横流ファン１３Ｆの左側端部ｃは熱交換器１０の左側面ｄよりも内側にあり、かつ横流ファン１３Ｆの右側端部ｅは熱交換器１０の右側面ｆよりも外方へ突出している。
また、図４（Ｂ）に示すように、軸方向長さＬｂが熱交換器１０の幅寸法Ｌよりも短い横流ファン１３Ｆを備え、このファンの左側端部ｃは図４（Ａ）と同一位置にあるけれども、右側端部ｇは熱交換器１０の右側面ｆと位置を揃えるようにしてもよい。
【００１８】
いずれにしても、上記室内送風機１３を構成する横流ファン１３Ｆの他方（左側）の支軸ｈは、後述する換気ユニット１５に軸支されている。この換気ユニット１５は、熱交換器１０に対して室内送風機１３の位置をずらせることによって形成される室内送風機１３横の空間スペースに配置されている。
熱交換器１０の左側面ｄに対して上記換気ユニット１５の左側面ｊがほぼ同一位置に揃えられ、室内送風機１３とともに換気ユニット１５は傘状に形成される熱交換器１０の内側に取付けられる。
【００１９】
再び図２に示すように、上記前側熱交換器部１０Ａの下端部は前ドレンパン１６ａ上に載り、後側熱交換器部１０Ｂの下端部は後ドレンパン１６ｂ上に載って、それぞれの熱交換器部１０Ａ，１０Ｂから滴下するドレン水を受け、図示しない排水ホースを介して外部に排水できるようになっている。
また、前後ドレンパン１６ａ，１６ｂの一部側壁外面は室内送風機１３に近接した位置に設けられ、これらで室内送風機１３の横流ファン１３Ｆに対するノーズを構成している。
【００２０】
ノーズを構成する前後ドレンパン１６ａ，１６ｂの側壁部分と、上記吹出し口９の各辺部との間は、隔壁部材１７によって連結される。この隔壁部材１７で囲まれる空間が、ノーズと上記吹出し口９とを連通する吹出し通風路１８となっている。
つぎに、上記換気ユニット１５について詳述する。
図５は換気ユニット１５を断面にして示すとともに、他の構成部品に対する配置構成を説明する図であり、図６は換気ユニットを分解した斜視図であり、図７は換気ユニットの一側面側の斜視図であり、図８は換気ユニットの他側面側の斜視図である。
【００２１】
上記換気ユニット１５は、その一側面部を形成するユニットベース２０と、他側面部を形成する送風機構３０と、これらユニットベース２０と送風機構３０との間に介設されるダンパ４０及びダンパ駆動機構４５とから構成される。
上記ユニットベース２０は、垂直部２０ａを備えるとともに、この垂直部の下端縁を除く端縁に沿って傾斜部２０ｂが形成され、かつ傾斜部の端縁から水平方向に一体に折曲される水平部２０ｃを備えている。
【００２２】
上記垂直部２０ａの上部は、側面視で略三角状に突出形成されていて、上記熱交換器１０を構成する前側熱交換器部１０Ａと後側熱交換器部１０Ｂの傘状の組合せ形状と合致している。
上記水平部２０ｃの端縁に沿って立上り片部ｋが形成され、ここに熱交換器１０の端板ｔが位置合わせされ、かつ水平部２０ｃ上に熱交換器１０を構成するフィンＦが載る。水平部２０ｃ上に熱交換器１０が載ることで上記傾斜部２０ｂと対向する部位に隙間が形成される。
【００２３】
上記垂直部２０ａの略中央部に円形状の取付用開口部２１が開口され、この開口部の周面に沿うとともに、垂直部２０ａ内面側へ折曲形成されるリブ２２が設けられる。また、上記取付用開口部２１の周縁に沿う垂直部２０ａ外面側に、放射状に補強用リブ２３が設けられる。
上記垂直部２０ａの内面側で、上記開口部２１の略半周に沿い所定間隔を存して複数（７本）の全閉用片部２４が設けられる。これら全閉用片部２４のうちの半分の全閉用片部相互間は開口されていて、この開口部を２次用換気口２５と呼ぶ。すなわち、２次用換気口２５は３口設けられる。
【００２４】
上記垂直部２０ａの取付用開口部２２に軸受け具２６が嵌着固定されていて、これらで軸受け部２７が構成される。この軸受け部２７は上述したように、上記室内送風機１３を構成する横流ファン１３Ｆの他方（左側）の支軸ｈを軸支している。
垂直部２０ａの内面側で、同一の曲率半径上に２本のステー２８ａが突設される。これらステー２８ａは、突出端部のみ直径が細く形成され、それぞれに上記ダンパ駆動機構４５を構成する小ギヤ４６が回転自在に嵌め込まれたうえで適宜な手段で抜け止めがなされている。
【００２５】
上記ステー２８ａの近傍に、これより高さの大きい複数本のステー２８ｂが設けられる。各ステー２８ｂの突出端面から軸方向にねじ孔が設けられ、上記送風機構３０を取付け固定する取付けねじｍが螺挿される。
上記全閉用片部２４近傍に設けられるステー２８ｂのみ、この周部に隣接して受け部２９が一体に設けられている。上記受け部２９には、ダンパ駆動機構４５を構成する駆動用モータ４７が取付け固定され、さらにこの駆動用モータの回転軸に連結する駆動ギヤ４８が回転自在に支持されている。
【００２６】
一方、上記軸受け部２７を構成するリブ２１外周面には、上記ダンパ４０の中心部に設けられる嵌め合い部４１が回転自在に嵌め込まれている。このダンパ４０は嵌め合い部４１から径方向に断面略皿状に形成され、円形外周縁に沿ってギヤ部４２が設けられる。
上記ダンパ４０のギヤ部４２には、先に説明した２個の小ギヤ４６と駆動用ギヤ４８が噛合するよう組み立てられる。したがって、駆動用モータ４７が駆動ギヤ４８を回転駆動することによりダンパ４０が回転させられ、かつ上記小ギヤ４６はダンパギヤ部４２に対してアイドルギヤ的に機能する。
【００２７】
さらに、ダンパ４０における嵌め合い部４１と外周ギヤ部４２との間で、周方向の一部には複数（３口）の案内用換気口４３が設けられる。これら案内用換気口４３は、ユニットベース垂直部２０ａに設けられる上記２次用換気口２５と全く同一の開口寸法形状をなしている。
上記案内用換気口４３の相互間に形成される桟部ｎは、互いの間隔が上記全閉用片部２４相互間隔と全く同一である。ダンパ４０はリブ２１に嵌め込まれた状態で垂直部２０ａ内面とは間隙を存しているが、ダンパ４０の一側面は垂直部内面に突設される全閉用片部２４端縁に常に摺接状態にある。
【００２８】
したがって、ダンパ４０の案内用換気口４３が垂直部２０ａの２次用換気口２５と対向している状態を除いて、各２次用換気口２５はダンパ４０によって閉塞されている。
上記送風機構３０は、ダンパ４０側の側面に吸込み口３１が形成され、周方向に矩形状の吹出し口体３２が突設されるケーシング３３と、このケーシングの吸込み口３１対向側面に取付けられるファンモータ３４と、このファンモータの回転軸に取付けられるファン３５とから構成される。
【００２９】
上記ファン３５は、回転にともなって軸心方向から空気を吸込んで周方向へ送風する、いわゆるシロッコファンタイプである。ファン３５はケーシング３３の吸込み口３１から空気を吸込んで吹出し口体３２から送風する作用をなす。
上記送風機構３０は、ダンパ４０とダンパ駆動機構４５を介してユニットベース２０の垂直部２０ａに取付けられているので、送風機構３０と垂直部２０ａとは間隙を存している。
【００３０】
さらに、送風機構３０の周面はユニットベース２０の傾斜部２０ｂおよび水平部２０ｃと間隙を存して取付けられ、特に、ユニットベース２０の三角状突部での間隙が大である。
再び図３に示すように、上記前ドレンパン１６ａの左側端部にはドレン排水用ニップル５０および換気用ニップル５１が正面視での位置を揃えて一体に突設されている。ドレン排水用ニップル５０よりも換気用ニップル５１が大径であり、互いのニップル５０，５１は同一傾斜角度に設定される。
【００３１】
上記換気用ニップル５１内には換気ユニット１５の吹出し口体３２が挿入され、かつニップル５１外周面に図示しない排出用ホースが接続される。上記ドレン排水用ニップル５０には図示しないドレンホースが接続され、各ホースは屋外へ延出される。
このようにして構成される空気調和機の室内機であって、リモコンの運転スイッチをオンに切換えると、前面パネル２の一部をなす可動パネル２ａが前部吸込み口４を開放し、冷房運転と暖房運転の指定に応じて吹出し口９に備えられる吹出しルーバー８ａ，８ｂが回動し、かつその姿勢が設定される。
【００３２】
同時に、室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。
室内空気中に含まれるほとんどの塵埃はエアーフィルタ１１によって捕捉され、塵埃が除去された状態で熱交換器１０を通過して熱交換作用が行われる。この熱交換空気は、吹出し通風路１８に沿って導かれ、吹出し口９から吹出しルーバー８ａ，８ｂに案内されて室内へ吹出され、効率のよい空調運転を継続する。
【００３３】
上記電気集塵機１２を機能させることにより、エアーフィルタ１１を通過した細かい塵埃は完全に捕捉され、清浄化した空気が熱交換器１０を介して吹出し口９から室内に吹出される。
つぎに、上記換気ユニット１５の作用について説明する。
換気ユニット１５は、「２次側空気換気モード」と、「１次側空気換気モード」および「換気ダンパ全閉モード」の３種類のモードに切換えられるようになっている。
【００３４】
なお、２次側、１次側の呼称は、ここでは上記熱交換器１０を基準としていて、２次側空気は熱交換器１０を流通したあとの空気を言い、１次側空気は熱交換器１０を流通する以前の空気を言う。
図９〜図１１は、送風機構３０を取外した換気ユニット１５の内部を示していて、それぞれのモードに対応したダンパ４０の状態を説明するための図である。図１２〜図１４は、室内機本体１内で、それぞれのモードに対応した風の状態を説明するための模式的に示す図である。
【００３５】
空調運転終了時において清浄運転モードを選択すると、上記「２次側空気換気モード」が自動的に機能する。
図９に示すように、換気ユニット１５のダンパ駆動機構４５が作動してダンパ４０を回動させる。ダンパ４０の案内用換気口４３がユニットベース２０の２次用換気口２５と対向する位置に到達したら、ダンパの回動を停止する。この状態は、図７にも示されている。
【００３６】
ついで、換気ユニット１５の送風機構３０が作動し、２次用換気口２５と案内用換気口４３を介して換気ユニット内に空気を吸込み、送風機構を介して吹出し口体３２から吹出す。
上記室内送風機１３は超低速運転が行われる一方で、可動パネル２ａが前部吸込み口４を閉成し、上側の吹出しルーバー８ａは吹出し口９を小さく開放し、下側の吹出しルーバー８ｂは閉成される。
【００３７】
通常、冷房運転や除湿運転などを行って停止した直後の状態では、熱交換器１０に湿分（ドレン水）が付着していて、室内機本体１内は高湿度雰囲気となっている。そのまま放置すると、熱交換器１０をはじめとして他の構成部品に付着した湿分が蒸発せず、腐蝕もしくはカビの発生要因となる。
そこで、上記清浄運転モードを選択して、室内機本体１内の乾燥と殺菌運転を行わせる。
具体的には、上部吸込み口６から微量の室内空気が室内機本体１内に吸込まれ、熱交換器１０を通過し他の構成部品に接触する。したがって、熱交換器１０のフィン面間および他の構成部品面に存在していた湿分は蒸発する。
【００３８】
熱交換器１０を通過したあとの蒸発湿分を含んだ空気、すなわち２次側空気は、図１２に模式的に示すように換気ユニット１５に吸込まれ、かつ吹出し口体３２から吹出されて最終的には屋外へ排出される。蒸発湿分を含んだ空気を直接的に屋外へ排出することにより、熱交換器１０は勿論のこと室内機本体１内は早急に完全乾燥してカビ等の発生を防止する。
さらに説明すると、図５に一点鎖線矢印で示すように、２次側空気はユニットベース２０の傾斜部２０ｂ外面と熱交換器１０との隙間を介して、垂直部２０ａ外面と横流ファン１３Ｆ端面との間に導かれる。
【００３９】
そして、２次側空気は互いに対向する２次用換気口２５と案内用換気口４３を介してケーシング３３の吸込み口３１からこの内部に吸込まれ、吹出し口体３２から吹出される。
このようにして、上記ダンパ４０の位置に応じて換気ユニット１５には室内機本体１内の空気を吸込み案内する第１の吸込み案内部Ｓａが形成される。これに対して、上記吹出し口体３２が換気ユニット１５から屋外へ吹出し案内する吹出し案内部となる。
【００４０】
上記運転を所定時間継続したあと電気集塵機１２に通電される。この電気集塵機１２で発生したオゾンが室内機本体１内に充満し、上部吸込み口６から吸込まれる微量の室内空気によって運ばれる。
オゾンを含んだ室内空気は熱交換器１０を通過し、他の構成部品に接触して殺菌し、臭いのもとを断つ。室内機本体１内を殺菌したあとの空気は換気ユニット１５の第１の吸込み案内部Ｓａに導かれ、さらに吹出し案内部（吹出し口体）３２から屋外へ排出される。
【００４１】
なお、電気集塵機１２を熱交換器１０の右側端部方向へずれた位置に配置し、換気ユニット１５を熱交換器１０の左側端部に配置したから、電気集塵機１２で発生したオゾンを室内機本体１内に充満させ、全体的に行き亘せたあと換気でき、効率の良い本体内殺菌をなす。
所定時間経過後、電気集塵機１２の機能が停止され、室内送風機１３の運転をある程度継続すると、換気ユニット１５の機能も停止して、全ての清浄運転モードが終了する。
【００４２】
結局、この清浄運転モードを選択することにより、室内機本体１内の殺菌・清浄化がなされ、ここで用いられた空気を換気ユニット１５を介して屋外へ排出する。したがって、室内に対する環境に何らの影響も及ぼすこともない。
再び図１２に示すように、清浄運転モードの運転中は、上側の吹出しルーバー８ａのみをわずかに開放させ、かつ室内送風機１３を超低速運転しているので、室内機本体１内を通過したあとの一部の空気が上記吹出しルーバー８ａから吹出される。
【００４３】
吹出された風は前面パネル２に沿って導かれ、再び上部吸込み口６に吸込まれる。したがって、室内機本体１における吹出し口９と上部吸込み口６との間で、いわゆるショートサーキット風が形成され、可動パネル２ａを含めた前面パネル２の清浄・殺菌化に役立つ。
つぎに、リモコンに備えられた換気モードを選択すると、「１次側空気換気モード」が自動的に行われる。上記換気モードは空調運転と並行して選択してもよく、あるいは空調運転の停止時に選択してもよい。
【００４４】
すなわち、冷房運転もしくは暖房運転しながら室内の換気を行いたい場合に、換気モードを選択する。あるいは、たとえば夏季の外出時に閉めきった室内に熱気が篭っていて、帰宅後早急に室内温度を下げて冷房負荷を抑える場合などは換気モードのみを選択するとよい。
室内送風機１３は換気モードの選択に拘わらず空調運転の選択モードに応じた回転を行う。もしくは、換気運転のみが行われる場合には停止する。電気集塵機１２においても空調運転の選択モードに応じたＯＮとなり、かつ清浄運転モードの選択時にはＯＮ、換気モードのみの場合にＯＦＦする。
【００４５】
可動パネル２ａおよび吹出しルーバー８ａ，８ｂにおいても空調運転時は運転モードに応じた開閉をなし、空調運転の停止時および換気運転のみでは閉成する。なお、上部吸込み口６は常時開放しているため、換気運転のみの場合でも室内空気が室内機本体１内に吸込まれる。
図１０は、換気モードを選択したときの換気ユニット１５の内部状態を示している。
ダンパ駆動機構４５はダンパ４０を回動駆動し、ダンパの案内用換気口４３がユニットベース２０の２次用換気口２５とは対向しない位置に変位したら、ダンパ駆動機構４５は作動を停止する。
【００４６】
ダンパ４０面がユニットベース２０の全閉用片部２４端縁に接触し、２次用換気口２５がダンパによって閉成される。その一方で、送風機構３０周面とダンパ４０側面に対するユニットベース２０の各内面とは間隙が形成され、案内用換気口４３はこれらの隙間と連通する。
図１３は、空調運転を停止したうえで、換気モードを選択した場合の空気の流れを模式的に示している。
換気ユニット１５の送風機構３０が作動して、常時開放状態にある上部吸込み口６から室内空気を室内機本体１内に吸込む。室内空気はエアーフィルタ１１を通過して塵埃を捕捉されたあと熱交換器１０を通過する前の１次側空気として換気ユニット１５に直接導かれ、吹出し口体３２から屋外へ排出される。
【００４７】
なお説明すれば、室内機本体１内に吸込まれた室内空気は、図５に実線矢印方向に示すように導かれる。
すなわち、空調運転を停止しているので室内送風機１３も停止状態にある。その一方で、換気ユニット１５の送風機構３０が作動しているので、１次側空気はエアーフィルタ１１と熱交換器１０の前面と間から換気ユニットが配置される左側端部に集められる。
【００４８】
そして、熱交換器１０側面と室内機本体１の側面板１ａとの間から換気ユニット１５に導かれる。上述したように、ユニットベース２０と送風機構３０のケーシング３３との間に隙間が形成されているとともに、ユニットベースとダンパ４０との間に隙間が形成され、かつ案内用換気口４３が開放している。
このようにして、ダンパ４０の位置によって換気ユニット１５にはこれら隙間からなる第２の吸込み案内部Ｓｂが形成されることになり、上記室内空気は第２の吸込み案内部を介して換気ユニット１５内に吸込まれ、吹出し口体３２から排出される。
【００４９】
結局、室内の汚れた空気が一旦、室内機本体１内に吸込まれ、さらに換気ユニット１５の作用によってフィルタ１１を通過したあと熱交換器１０に導かれる以前に、換気ユニット１５を介して屋外へ排出される。汚れた空気が熱交換器１０を通過しないので、熱交換器の汚れを最小限に抑制した換気作用をなす。
以上は空調運転を停止した状態での換気運転であるが、空調運転を継続したうえで換気運転を行っても何らの支障もない。この場合にも、熱交換器１０を通過しない１次側空気を集めて屋外へ換気するので、空調運転によるエネルギーロスを必要最小限に抑えた省エネ運転が可能となる。
【００５０】
なお、換気ユニット１５は換気用ニップル５１に接続されるホースを介して屋外と直接的に連通している。屋外に極めて多量の塵埃が充満したり、夜間に大なる騒音があると、これらがホースを介して換気ユニット１５に侵入し、さらには室内機本体１を介して室内に漏れることが考えられる。
このような据付け環境条件もしくは使用環境条件など、必要に応じて換気ユニット１５を完全閉成状態にして換気モードを機能させたくない場合は、上記した「換気ダンパ全閉モード」を選択して塵埃や騒音の侵入を阻止する。
【００５１】
図１１は、換気ダンパ全閉モードを選択したときのダンパ４０の状態を表している。すなわち、ダンパ駆動機構４５はダンパ４０を回動し、この案内用換気口４３相互間の桟部ｎがユニットベース垂直部２０ａの全閉用片部２４端縁に対向した位置でダンパの回動を停止する。
全ての案内用換気口４３はユニットベース２０の全閉用片部２４とリブ２１によって周囲を囲まれ、完全閉成状態になる。また、ユニットベース２０の２次用換気口２５がダンパ４０面によって完全閉成されることには変わりがない。
【００５２】
したがって、図１４に模式的に示すように、換気ユニット１５はダンパ４０によって完全閉成され、風の流通路が遮断される。換気ユニット１５を介して屋外の塵埃、騒音等の室内機本体１と室内への侵入を確実に阻止でき、快適性の向上を図れる。
なお、先に説明した本体内清浄運転モードの終了後は勿論のこと、通常の空調運転の終了後は、上記換気ユニット１５は必然的に上述した状態になるよう設定されている。また、空調運転の際にこのモードを選択すれば、通常の空調運転と同等の状態となる。
【００５３】
以上説明したように、上記換気ユニット１５を熱交換器１０の内側に配置したから、室内機本体１を大型化することなく換気ユニットの付設を可能とし、省スペース化と、換気ユニット１５の運転にともなう騒音の発生を最小限に抑制できる。
さらに、換気ユニット１５は室内送風機１３を構成する横流ファン１３Ｆの一方の支軸ｈに対する軸受け部２７を備えたから、必要部品の点数を低減して部品費の低減化に寄与する。
【００５４】
さらに、ダンパ４０の位置によって形成される第２の吸込み案内部Ｓｂは、エアーフィルタ１１を通過し熱交換器１０に導かれる以前の１次側空気を吸込むようにしたから、塵埃の熱交換器１０付着量を抑制でき、たとえば空調運転と並行して換気運転を行う場合など熱交換エネルギーのロスを最小限に抑制する。
さらに、電気集塵機１２と換気ユニット１５とを互いに反対側の側部に配置したから、電気集塵機で発生したオゾンを室内機本体１内に充満させ、全体的に行き亘せたあと換気をなすことができ、殺菌効率の向上を得られる。
【００５５】
【発明の効果】
以上説明したように本発明によれば、本来の空気調和機能を備えることの他に、換気機能を付加して快適性の向上を図り、かつそれによる本体外形寸法の拡大化や騒音の増大化などを抑制するなどの効果を奏する。
【図面の簡単な説明】
【図１】本発明の一実施の形態を示す、空気調和機の室内機の外観斜視図。
【図２】同実施の形態を示す、室内機の断面図。
【図３】同実施の形態を示す、室内機の前面パネルを開放した状態の斜視図。
【図４】同実施の形態を示す、熱交換器に対する室内送風機の互いに異なる配置を説明する図。
【図５】同実施の形態を示す、換気ユニットとその周辺部位の断面図。
【図６】同実施の形態を示す、換気ユニットの分解した斜視図。
【図７】同実施の形態を示す、換気ユニットの一面側の斜視図。
【図８】同実施の形態を示す、換気ユニットの他面側の斜視図。
【図９】同実施の形態を示す、２次側空気換気モードを選択した場合の換気ユニット内部の正面図。
【図１０】同実施の形態を示す、１次側空気換気モードを選択した場合の換気ユニット内部の正面図。
【図１１】同実施の形態を示す、換気ダンパ全閉モードを選択した場合の換気ユニット内部の正面図。
【図１２】同実施の形態を示す、２次側空気換気モードを選択した場合の換気ユニット内部状態を説明する図。
【図１３】同実施の形態を示す、１次側空気換気モードを選択した場合の換気ユニット内部状態を説明する図。
【図１４】同実施の形態を示す、換気ダンパ全閉モードを選択した場合の換気ユニット内部を状態を説明する図。
【符号の説明】
４…前部吸込み口、
６…上部吸込み口、
９…吹出し口、
１…室内機本体、
１０Ａ…前側熱交換器部、
１０Ｂ…後側熱交換器部、
１０…熱交換器、
１３…室内送風機、
１１…エアーフィルタ、
Ｓａ，Ｓｂ…第１・第２の吸込み案内部、
３２…吹出し案内部（吹出し口体）
３０…送風機構、
１５…換気ユニット。
【図１】
2004069110.tif 000003
【図２】
2004069110.tif 000004
【図３】
2004069110.tif 000005
【図４】
2004069110.tif 000006
【図５】
2004069110.tif 000007
【図６】
2004069110.tif 000008
【図７】
2004069110.tif 000009
【図８】
2004069110.tif 000010
【図９】
2004069110.tif 000011
【図１０】
2004069110.tif 000012
【図１１】
2004069110.tif 000013
【図１２】
2004069110.tif 000014
【図１３】
2004069110.tif 000015
【図１４】
2004069110.tif 000016